【事件の表示】
　特願２０１０−　５９９５６「文字入力装置、文字入力方法及び文字入力プログラム」拒絶査定不服審判事件〔平成２３年　９月２９日出願公開、特開２０１１−１９２２１５〕について、次のとおり審決する。
【結　論】
　本件審判の請求は、成り立たない。
【理　由】
１．手続の経緯
　本願は、平成２２年３月１６日の出願であって、平成２６年７月２２日付け手続補正が平成２７年２月２４日付けで却下されるとともに同日付で拒絶査定がなされ（発送日：同年３月３日）、これに対して平成２７年６月３日に審判の請求がなされ、同時に手続補正がなされ、その後、平成２８年２月２６日付けで当審より拒絶理由が通知され、同年４月２８日に手続補正がされるとともに意見書が提出されたものである。
２．本願発明
　本願の請求項１に係る発明（以下、「本願発明」という。）は、平成２８年４月２８日付け手続補正書の特許請求の範囲に記載された次のとおりのものである。
　「画像を表示する表示部と、
　操作者の接触入力を検出する入力検出部と、
　前記表示部に表示されるソフトウェアキーボードの１つの第１キーの画像への接触を検出すると、当該第１キーの画像とその周囲の第２キーの内の少なくとも１つの画像とを拡大した第１の拡大キーを前記ソフトウェアキーボードの上に重ねて表示させる制御部と、
を備え、
　前記制御部は、前記１つのキーの画像への接触を検出した後に、当該接触が継続したまま前記第１の拡大キーのうちの前記第２キーの拡大画像にタッチされたのを検出すると、前記第１の拡大キーを表示する際に当該第２キーの拡大画像が表示されていた領域および該領域の周囲に、当該第２キーの拡大画像と前記第２キーの周囲のキーのうちの少なくとも１つの画像とを拡大した第２の拡大キーを前記ソフトウェアキーボードの上に重ねて表示させることを特徴とする文字入力装置。」
３．引用文献１、引用発明について
　平成２８年２月２６日付けの拒絶理由通知に引用された、本願出願前に公開された、引用文献１（特開２００６−５９２３８号公報）には、図面とともに以下の記載がある（下線は当審において付与。以下同様。）。
（１）段落【０００９】−【００１０】（【課題を解決するための手段】）
「【０００９】
  なお、
「選択アイコン」とは、ユーザが何らかの操作で選択することができるような、表示画面（１０）上の画像
【００１０】
  また、
「アイコン選択物体」とは、ユーザの手や指など、選択アイコン（５０ａ）を選択するために用いられるもののこと
（２）段落【００１３】−【００３０】（【発明を実施するための最良の形態】）
「【発明を実施するための最良の形態】
【００１３】
　以下、本発明の一実施形態について図１〜図４に基づいて説明する。本実施形態の情報入力表示装置は、車両に搭載されるカーナビゲーション装置の情報入力表示装置として用いられ、例えば地名入力に用いられる。
【００１４】
　図１（ａ）は本実施形態の情報入力表示装置を示す平面図で、図１（ｂ）は図１（ａ）のＡ−Ａ断面図で、図２は本実施形態の情報入力表示装置の全体構成を示すブロック図である。図１（ａ）（ｂ）および図２に示すように、本実施形態の
情報入力表示装置は、表示装置１、第１のタッチスイッチ２、第２のタッチスイッチ３、制御装置４、ナビゲーションＥＣＵ６より構成され
【００１５】
　本実施形態の
表示装置１は、
表示画面１０を有し
【００１６】
　
表示画面１０の上（ユーザ側）には、第１のタッチスイッチ２、第２のタッチスイッチ３の順に重なるように配置され
第１のタッチスイッチ２および第２のタッチスイッチ３は、ユーザが任意の箇所を指など（アイコン選択物体）で押すことにより、押された箇所の座標データを制御装置４に対して出力するものであ
また、第２のタッチスイッチ３は、第１のタッチスイッチ２よりも接触を検出する圧力が小さいものを用いて
【００１７】
　制御装置４は、ナビゲーションＥＣＵ６と接続されている。制御装置４は、通常のマイクロコンピュータとして構成されており、内部には周知のＣＰＵ、ＲＯＭ、ＲＡＭ、Ｉ／Ｏ、及びこれらを接続するバスラインが備えられている。
制御装置４は、表示装置１の画面表示制御を行うように構成され
また、制御装置４は、第１のタッチスイッチ２および第２のタッチスイッチ３の検出結果に基づいて所定の処理を行
【００１８】
　図３は、本第１実施形態の表示画面１０を示す平面図である。図３（ａ）は通常画面、図３（ｂ）は一部の選択アイコンが拡大表示された拡大表示画面を示している。図３に示すように、本第１実施形態の
表示画面１０には、記号入力部５０、入力文字列表示部５１、確定アイコン５２、検索アイコン５３、修正アイコン５４、５５、中止アイコン５６が表示され
【００１９】
　
記号入力部５０は、通常の５０音表の様式で並べられた入力候補文字としての複数の文字アイコン５０ａから成
これら文字アイコン５０ａは選択アイコンであり、ユーザの操作によってそれらのうちの１つが選択されることで、その選択された文字アイコン５０ａの示す文字が入力文字列表示部５１に追加され
　　　・・・（中略）・・・
【００２３】
　次に、図３を参照しながら、本第１実施形態における
情報入力表示装置の拡大表示の表示
ユーザが指を選択したい選択アイコン５０ａ付近で第２のタッチスイッチ３のみが検出できる程度の弱い圧力で接触させると、制御装置４は、第２のタッチスイッチ３によりアイコン選択物体の接近を検出し、表示画面１０の画面表示を、検出されたアイコン選択物体の位置近傍の選択アイコン５０ａを拡大表示する拡大表示画面に切り換え
拡大表示画面で拡大する範囲は
指を近づけた選択アイコン「て」を中心として１つ隣の選択アイコン５０ａまで拡大表示し
【００２４】
　
そして、選択アイコン５０ａが拡大表示された状態で、指を第２のタッチスイッチ３に接触させたまま移動させると、選択アイコン５０ａが拡大表示される領域も指とともに移動
ユーザは、拡大表示画面において、希望する選択アイコン５０ａの位置まで指をずらし、選択アイコン５０ａを選択することができ
また、第２のタッチスイッチ３から指を離すと、拡大表示画面から通常画面に戻
【００２５】
　次に、図４を参照しながら、本実施形態における情報入力表示装置の処理動作について説明する。図４は、本実施形態における情報入力表示装置の制御装置４のＣＰＵがＲＯＭに格納されたプログラムに従って行う処理内容を示すフローチャートである。
【００２６】
　まず、第２のタッチスイッチ３によって、手や指などのアイコン選択物体の接触が検出されたか否かを判定する（Ｓ１００）。この結果、アイコン選択物体の接触が検出されなかった場合は（Ｓ１００：ＮＯ）、通常画面を表示し（Ｓ１１０）、ステップＳ１００に戻る。一方、第２のタッチスイッチ３では検出できるが第１のタッチスイッチ２では検出できない程度の弱い圧力でアイコン選択物体が第１のタッチスイッチ２に接触したことが検出された場合は（Ｓ１００：ＹＥＳ）、ステップＳ１００において接触が検出されたアイコン選択物体の座標を計算する（Ｓ１２０）。
【００２７】
　次に、ステップＳ１２０において計算された座標近傍の選択アイコン５０ａを拡大して表示する拡大表示画面に切り換える（Ｓ１３０）。
【００２８】
　次に、第１のタッチスイッチ２が押下されたか否かを判定する（Ｓ１４０）。この結果、第１のタッチスイッチ２が押下されなかった場合は（Ｓ１４０：ＮＯ）、ステップＳ１００に戻る。一方、第１のタッチスイッチ２で検出できる程度の強い圧力で押下された場合は（Ｓ１４０：ＹＥＳ）、第１のタッチスイッチ２が押下された位置に基づいて、その位置に対応する選択アイコン５０ａに関連づけられた処理を行う（Ｓ１５０）。
【００２９】
　以上のように、選択したい選択アイコン５０ａの近傍にユーザが軽く触れるだけで、その付近の領域が拡大表示されるため、希望する選択アイコン５０ａを容易に選択操作することができる。これにより、選択アイコン５０ａが小さく表示されている場合であっても、選択アイコン５０ａの誤選択を防止することが可能となる。さらに、選択アイコン５０ａが拡大表示されているときに、第２のタッチスイッチ３にアイコン選択物体を接触させたまま移動させることで、表示画面１０に拡大表示される領域も移動するため、選択操作をより容易にすることが可能となる。
【００３０】
　（他の実施形態）
　また、上記実施形態の情報入力表示装置は、カーナビゲーション装置の情報入力表示装置として説明したが、本発明の情報入力表示装置はカーナビゲーション装置以外にも用いることができる。」
（３）　【図３】
　図３は、表示画面１０の平面図であり、図３（ａ）は、通常画面であり、図３（ｂ）は、拡大表示画面であって、
具体的には、通常の５０音表の様式で並べられた複数の選択アイコン５０ａのうち、選択アイコン「て」を中心として、「て」の１つ隣の選択アイコン「す、せ、そ、つ、と、ぬ、ね、の」までを、記号入力部５０の上に重ねて拡大表示し
　上記下線部及び関連箇所の記載によれば、引用文献１には、次の発明（以下、「引用発明」という。）が開示されているものと認められる。
　
「情報入力表示装置は、表示装置１、第１のタッチスイッチ２、第２のタッチスイッチ３、制御装置４、ナビゲーションＥＣＵ６より構成され、
　表示装置１は、表示画面１０を有し、
　表示画面１０の上（ユーザ側）には、第１のタッチスイッチ２、第２のタッチスイッチ３の順に重なるように配置され、第１のタッチスイッチ２および第２のタッチスイッチ３は、ユーザが任意の箇所を指など（アイコン選択物体）で押すことにより、押された箇所の座標データを制御装置４に対して出力するものであり、また、第２のタッチスイッチ３は、第１のタッチスイッチ２よりも接触を検出する圧力が小さいものを用いており、
　ここで、「アイコン選択物体」とは、ユーザの手や指など、選択アイコン（５０ａ）を選択するために用いられるもののことであり、
　制御装置４は、表示装置１の画面表示制御を行うように構成され、また、制御装置４は、第１のタッチスイッチ２および第２のタッチスイッチ３の検出結果に基づいて所定の処理を行い、
　表示画面１０には、記号入力部５０、入力文字列表示部５１、確定アイコン５２、検索アイコン５３、修正アイコン５４、５５、中止アイコン５６が表示され、
　記号入力部５０は、通常の５０音表の様式で並べられた入力候補文字としての複数の文字アイコン５０ａから成り、
　これら文字アイコン５０ａは選択アイコンであり、ユーザの操作によってそれらのうちの１つが選択されることで、その選択された文字アイコン５０ａの示す文字が入力文字列表示部５１に追加され、
　ここで、「選択アイコン」とは、ユーザが何らかの操作で選択することができるような、表示画面（１０）上の画像であり、
　情報入力表示装置の拡大表示の表示は、
　ユーザが指を選択したい選択アイコン５０ａ付近で第２のタッチスイッチ３のみが検出できる程度の弱い圧力で接触させると、制御装置４は、第２のタッチスイッチ３によりアイコン選択物体の接近を検出し、表示画面１０の画面表示を、検出されたアイコン選択物体の位置近傍の選択アイコン５０ａを拡大表示する拡大表示画面に切り換え、拡大表示画面で拡大する範囲は、指を近づけた選択アイコン「て」を中心として１つ隣の選択アイコン５０ａまで拡大表示し、
　具体的には、通常の５０音表の様式で並べられた複数の選択アイコン５０ａのうち、選択アイコン「て」を中心として、「て」の１つ隣の選択アイコン「す、せ、そ、つ、と、ぬ、ね、の」までを、記号入力部５０の上に重ねて拡大表示しており、
　そして、選択アイコン５０ａが拡大表示された状態で、指を第２のタッチスイッチ３に接触させたまま移動させると、選択アイコン５０ａが拡大表示される領域も指とともに移動し、ユーザは、拡大表示画面において、希望する選択アイコン５０ａの位置まで指をずらし、選択アイコン５０ａを選択することができ、また、第２のタッチスイッチ３から指を離すと、拡大表示画面から通常画面に戻る、
　情報入力表示装置。」
４．対比
　本願発明と引用発明とを対比する。
（１）　引用発明の「表示装置１は、表示画面１０を有し」、「表示画面１０には、記号入力部５０、……（中略）……が表示され、記号入力部５０は、通常の５０音表の様式で並べられた入力候補文字としての複数の文字アイコン５０ａから成り、これら文字アイコン５０ａは選択アイコンであり、ユーザの操作によってそれらのうちの１つが選択されることで、その選択された文字アイコン５０ａの示す文字が入力文字列表示部５１に追加され、ここで、
『選択アイコン』とは
画像
（２）　引用発明の「第１のタッチスイッチ２および第２のタッチスイッチ３」は、「
ユーザが
指など（アイコン選択物体）で押すことにより
接触を検出する
（３）　引用発明の「制御装置４」は、本願発明の「制御部」に相当する。
　引用発明の「記号入力部５０」は、「表示画面１０には、記号入力部５０……（中略）……が表示され」、「記号入力部５０は、通常の５０音表の様式で並べられた入力候補文字としての複数の文字アイコン５０ａから成」るから、本願発明の「前記表示部に表示されるソフトウェアキーボード」に相当する。
　引用発明の上記記号入力部５０に含まれる複数の「文字アイコン５０ａ」（「選択アイコン」）は、「これら文字アイコン５０ａは
選択アイコンであり
「選択アイコン」とは
画像
　引用発明の「選択アイコン『て』を中心として、『て』の１つ隣の選択アイコン『す、せ、そ、つ、と、ぬ、ね、の』までを、記号入力部５０の上に重ねて拡大表示」したものは、本願発明の「当該第１キーの画像とその周囲の第２キーの内の少なくとも１つの画像とを拡大した第１の拡大キー」に相当する。
　よって、引用発明において、「ユーザが指を選択したい選択アイコン５０ａ付近で第２のタッチスイッチ３のみが検出できる程度の弱い圧力で接触させると、制御装置４は、第２の
タッチスイッチ３によりアイコン選択物体の接近を検出し
拡大表示画面に切り換え
（４）　引用発明において、「ユーザが指を選択したい選択アイコン５０ａ付近で第２のタッチスイッチ３のみが検出できる程度の弱い圧力で接触させると、制御装置４は、
第２のタッチスイッチ３によりアイコン選択物体の接近を検出し
指を第２のタッチスイッチ３に接触させたまま移動させると
拡大表示される領域も指とともに移動し
希望する選択アイコン５０ａの位置まで指をずらし、選択アイコン５０ａを選択する
　よって、上記のように指を接触が継続したまま移動する操作をすることは、本願発明の「前記制御部は、前記１つのキーの画像への接触を検出した後に、当該接触が継続したまま前記第１の拡大キーのうちの前記第２キーの拡大画像に
タッチ
操作が
  引用発明は、「検出されたアイコン選択物体の位置
近傍の選択アイコン５０ａを拡大表示する
　よって、上記のように指を接触が継続したまま移動する操作をした際に、「選択アイコン５０ａが拡大表示される領域も指とともに移動」することは、本願発明の「前記第１の拡大キーを表示する際に当該第２キーの拡大画像が表示されていた領域および該領域の周囲に、当該第２キーの拡大画像と前記第２キーの周囲のキーのうちの少なくとも１つの画像とを拡大した第２の拡大キーを前記ソフトウェアキーボードの上に重ねて表示させる」ことと、「当該第２キーの拡大画像と前記第２キーの周囲のキーのうちの少なくとも１つの画像とを拡大した第２の拡大キーを前記ソフトウェアキーボードの上に重ねて表示させる」点で共通するといえる。
（５）　引用発明の「選択された
文字
文字
　したがって、本願発明と引用発明との一致点・相違点は次のとおりである。
＜一致点＞
「画像を表示する表示部と、
　操作者の接触入力を検出する入力検出部と、
　前記表示部に表示されるソフトウェアキーボードの１つの第１キーの画像への接触を検出すると、当該第１キーの画像とその周囲の第２キーの内の少なくとも１つの画像とを拡大した第１の拡大キーを前記ソフトウェアキーボードの上に重ねて表示させる制御部と、
を備え、
　前記制御部は、前記１つのキーの画像への接触を検出した後に、当該接触が継続したまま前記第１の拡大キーのうちの前記第２キーの拡大画像に操作がされたのを検出すると、当該第２キーの拡大画像と前記第２キーの周囲のキーのうちの少なくとも１つの画像とを拡大した第２の拡大キーを前記ソフトウェアキーボードの上に重ねて表示させることを特徴とする文字入力装置。」
である点。
　
＜相違点１＞
　第２の拡大キーを表示する契機に関して、本願発明は、「前記制御部は、前記１つのキーの画像への接触を検出した後に、当該接触が継続したまま前記第１の拡大キーのうちの前記第２キーの拡大画像に
タッチ
移動
＜相違点２＞
　第２の拡大キーを表示する位置に関して、本願発明は、「前記第１の拡大キーを表示する際に当該第２キーの拡大画像が表示されていた領域および該領域の周囲に」、当該第２キーの拡大画像と前記第２キーの周囲のキーのうちの少なくとも１つの画像とを拡大した第２の拡大キーを前記ソフトウェアキーボードの上に重ねて表示させるのに対して、引用発明は、「選択アイコン５０ａが拡大表示される領域」（本願発明の「第２の拡大キー」に相当する。）が、「前記第１の拡大キーを表示する際に当該第２キーの拡大画像が表示されていた領域および該領域の周囲に」表示されるか否かが、特定されていない点。
５．当審の判断
＜相違点１＞について
　引用発明の「第２のタッチスイッチ」は、「第２のタッチスイッチ３は、ユーザが任意の箇所を指など（アイコン選択物体）で押すことにより、
押された箇所の座標データを制御装置４に対して出力するものであり
接触を検出する
  引用発明は、「
選択アイコン５０ａが拡大表示された状態で
指を第２のタッチスイッチ３に接触させたまま
選択アイコン５０ａが拡大表示される領域も指とともに移動
第２のタッチスイッチ３から指を離すと
　よって、相違点１は、実質的な相違点ではなく、相違点１に係る構成を採用することに、格別の困難性はない。
　なお、請求人は、意見書において、「引用発明１は、指とともに選択アイコンの拡大表示される領域が移動するものであって、指でタッチすると選択アイコンを移動して拡大表示するものではなく、上述した本願発明の構成に対応する直接的な記載やこれを示唆する記載ではありません。」（平成２８年４月２８日付け意見書、３ページ３４行−４ページ３行。）旨を主張している。
  しかし、上述のとおり、引用発明も、指を移動しているときも、接触、すなわち、タッチを検出するものであり、これによって、１つ隣の選択アイコン「す、せ、そ、つ、と、ぬ、ね、の」いずれかを中心として、その一つ隣の選択アイコンまでの拡大表示（本願発明の「第２の拡大キー」に対応。）が、ソフトウェアキーボードの上に重ねて、行われると認められるから、この点は、実質的な相違点ではない。
　仮に、上記意見書の主張が、本願発明の「タッチされたのを検出する」が、意見書で「補正の根拠」として引用される、本願の明細書の段落【００５３】−【００５４】に「…タッチを継続したまま「Ｙ」のキーを示す拡大画像１１４ｂに移動され、かつ、拡大画像１１４ｂが
タッチされた状態が所定時間維持されていることを検出したら
なお、この場合も
タッチ位置が
移動されたことを検出したら
拡大画像１１６を表示させるようにしても良い
　なお、念のため、たとえ、本願発明の「タッチされたのを検出する」ことが、「タッチされた状態が所定時間維持される」ことを検出することであるとしても、特定の操作状態が、「所定時間維持される」ことを必要とする点は、誤操作防止用の「長押し」等として普通に採用される、周知の技術である（必要ならば、例えば、引用文献３（特開２００８−９７５９号公報）には、段落【００３９】を参照すると、特定の操作状態が、所定期間維持されたことを検出することが記載され、新たに引用する、特開２００５−１８２３６７号公報には、段落【００５１】に、「ステップＳ３０４」として、接触が所定時間継続して行われていることを判定することが記載されている。）。そして、引用発明に、上記周知技術を付加することによって、タッチされた状態が、所定時間維持されたことを検出すると、拡大表示を行うように構成することは、当業者が容易に推考し得ることである。
＜相違点２＞について
　一般に、アイコンの画面上での表示位置は、表示の拡大・縮小率の大小や、ユーザの見やすさ、ユーザの操作性、利便性等を考慮して、当業者が適宜選択すべき、設計的事項にすぎないものである。
　引用文献１には、図３（ｂ）の拡大表示画面において、例えば、「て」から、さらに、右隣の「せ」に指を移動させた場合について、具体的な拡大表示画面は、記載がない。
　しかし、引用発明は、「指を第２のタッチスイッチ３に接触させたまま移動させると、
選択アイコン５０ａが拡大表示される領域も指とともに移動
通常の５０音表の様式で
　そして、図３（ａ）と図３（ｂ）の対比から明らかに、一部の選択アイコン（文字アイコン）を拡大表示しても、「通常の５０音表の様式で並べられた」選択アイコンの配置は変わらない以上、特に拡大率が大きくならない限りは、拡大後の選択アイコンも、必然的に、引き続き、画面上でほぼ同じ位置に表示されると認められる。
　具体的には、例えば、引用文献１の図３（ａ）の通常画面と、図３（ｂ）の「て」の文字アイコンを中心とする拡大表示画面とを対比すると、例えば、「せ」の文字アイコンは、通常画面（図３（ａ））と拡大表示画面（図３（ｂ））で、ほぼ同じ位置に表示されている。
　よって、引用発明の図３（ｂ）の拡大表示画面において、例えば、「て」から、さらに、右隣の「せ」に指を移動させた場合、「
前記第１の拡大キー
を表示する際に当該第２キー
の拡大画像が表示されていた領域および該領域の周囲に、当該第２キー
　また、念のため、相違点２に関して、引用文献２（特開２００３−１７７８４８号公報）には、特に図６、図７を参照すると、拡大表示の表示位置として、第１の拡大キー（例えば図６の「Ｊ」）を表示する際に第２キーの画像（例えば図６の「Ｍ」）が表示されていた領域および該領域の周囲に、当該第２キー（例えば図７の「M」）の拡大画像と第２キーの周囲のキーのうちの少なくとも１つの画像とを表示させる記載があり、引用文献４（特開２００５−３５２９２４号公報）には、特に図７、段落【００４８】を参照すると、操作した“Ｂ”ボタンとともに、その横隣にある“Ａ”ボタンと“Ｃ”ボタンも拡大表示するが、操作されたボタンとの区別が付けられるように拡大の程度を多少落とすことが記載され、図７に記載された拡大表示の状態から、さらに、例えば、指を“Ｂ”ボタンから、その横隣にある“Ａ”ボタンに移動すれば、当然に、第２キーの画像（例えば図７の「“Ａ”ボタン」）が表示されていた領域および該領域の周囲に、当該第２キー（例えば図７の「“Ａ”ボタン」）の拡大画像と第２キーの周囲のキーのうちの少なくとも１つの画像とが拡大表示されるものと認められる。
　よって、第１の拡大キーを表示する際に第２キーの画像が表示されていた領域および該領域の周囲に、第２の拡大キーを表示することは、上記引用文献２、引用文献４に記載されるように普通に行われているものと認められる。
　さらに、ユーザの操作性を考慮すれば、拡大表示をする場合に、操作されるキーの位置は、できるだけ動かない方が望ましいことは、指を動かす距離が小さくてすむ点で、明らかであるといえる。
　よって、引用発明において、拡大表示を行う位置を、表示の拡大・縮小率の大小や、ユーザの見やすさ、ユーザの操作性、利便性等を考慮して、当業者が適宜選択する場合、上記引用文献２、引用文献４に記載されるように普通に行われていると認められる、第１の拡大キーを表示する際に第２キーの画像が表示されていた領域および該領域の周囲に、第２の拡大キーを表示する態様を採用することで、相違点２に係る「前記第１の拡大キーを表示する際に当該第２キーの拡大画像が表示されていた領域および該領域の周囲に、当該第２キーの拡大画像と前記第２キーの周囲のキーのうちの少なくとも１つの画像とを拡大した第２の拡大キーを前記ソフトウェアキーボードの上に重ねて表示させる」ように構成することによって、相違点２に係る構成とすることは、当業者が容易に推考し得ることであるといえる。
　さらに、本願発明の効果も、引用発明に基づいて、当業者が予測し得る範囲内のものである。
６．むすび
　したがって、本願発明は、引用発明、及び、周知技術に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。